(57)【要約】  本発明は、無線アクセスポイントでページングメッセージ間の優先順位を決定して端末にページングする方法及び装置に関する。本発明の一実施形態による移動通信システムで無線アクセスポイントのページング方法は、コアネットワークから複数のページングメッセージを受信する段階と、前記複数のページングメッセージ間の優先順位を決定する段階と、及び前記決定された優先順位に基づいて前記ページングメッセージを端末に送信する段階と、をさらに含み、前記ページングメッセージに含まれたページング試み回数に係る情報は前記優先順位を決定することに用いられることを特徴とする。本開示は、ＬＴＥのような４Ｇ通信システム以後より高いデータ送信率をサポートする提供される５Ｇ又はｐｒｅ-５Ｇ通信システムに関する。
2018532331.tif 000002
【特許請求の範囲】
【請求項１】
移動通信システムでページングを行う無線アクセスポイントであって、
信号を送受信する送受信部と、及び
コアネットワークから複数のページングメッセージを受信し、前記複数のページングメッセージ間の優先順位を決定し、前記決定された優先順位に基づいて前記ページングメッセージを端末に送信することを制御する制御部と、をさらに含み、
前記ページングメッセージに含まれたページング試み回数に係る情報は前記優先順位を決定することに用いられることを特徴とする、無線アクセスポイント。
【請求項２】
前記制御部は、
ページングバッファーが飽和したかを決定し、前記ページングバッファーが飽和した場合、前記ページングバッファーに予め記憶された少なくとも一つの第１ページングメッセージ及び前記受信した第２ページングメッセージ間の優先順位を決定することをさらに制御することを特徴とする、請求項１に記載の無線アクセスポイント。
【請求項３】
前記制御部は、
前記第１ページングメッセージが前記第２ページングメッセージより優先順位が低く決定された場合、前記第１ページングメッセージの情報を前記ページングバッファーで廃棄し、前記第２ページングメッセージの情報を前記ページングバッファーに記憶することを制御することを特徴とする、請求項１に記載の無線アクセスポイント。
【請求項４】
前記ページングメッセージ間の優先順位は、
前記ページングメッセージを用いて送信しようとする情報の優先順位、前記ページング試み回数、前記ページングメッセージの重複可否のうちの少なくとも一つに基づいて決定されることを特徴とする、請求項１に記載の無線アクセスポイント。
【請求項５】
前記ページングメッセージ間の優先順位は、
前記ページングメッセージを用いて送信しようとする情報の優先順位、前記ページング試み回数、及び前記ページングメッセージの重複可否に予め決定された加重値を適用したことに基づいて決定することを特徴とする、請求項４に記載の無線アクセスポイント。
【請求項６】
前記制御部は、
前記決定された優先順位に基づいて前記複数のページングメッセージ間のページング手順を決定し、前記決定されたページング手順に基づいて前記複数のページングメッセージを送信することを制御することを特徴とする、請求項１に記載の無線アクセスポイント。
【請求項７】
前記制御部は、
前記ページングメッセージに含まれたページング試み回数に係る情報又は重複可否のうちの少なくとも一つに基づいて前記ページングメッセージを端末に送信するページング領域を決定し、
前記決定されたページング領域に基づいて端末にページングメッセージを送信することをさらに制御することを特徴とする、請求項１に記載の無線アクセスポイント。
【請求項８】
前記ページング領域は、
前記無線アクセスポイントに含まれたセル領域を含むことを特徴とする、請求項７に記載無線アクセスポイント。
【請求項９】
前記制御部は、
前記優先順位を決定するうち、第３ページングメッセージを新規で受信した場合、前記ページングバッファーと相違する臨時バッファーに前記第３ページングメッセージの情報を記憶し、前記第１ページングメッセージ及び第２ページングメッセージのうちの優先順位がより低いページングメッセージを決定し、前記優先順位がよりと低く決定されたページングメッセージと前記第３ページングメッセージ間の優先順位を決定することをさらに制御することを特徴とする、請求項２に記載無線アクセスポイント。
【請求項１０】
前記コアネットワークは、
移動性管理要素(ｍｏｂｉｌｉｔｙ ｍａｎａｇｅｍｅｎｔ ｅｎｔｉｔｙ、ＭＭＥ)、サービング一般パケットラジオサービス(ｇｅｎｅｒａｌ ｐａｃｋｅｔ ｒａｄｉｏ ｓｅｒｖｉｃｅ、ＧＰＲＳ)サポート要素(ｓｅｒｖｉｎｇ ＧＰＲＳ ｓｕｐｐｏｒｔ ｎｏｄｅ、ＳＧＳＮ)、又はセル放送センター(Ｃｅｌｌ Ｂｒｏａｄｃａｓｔ Ｃｅｎｔｅｒ、ＣＢＣ)のうちの少なくとも一つを含むことを特徴とする、請求項１に記載無線アクセスポイント。
【請求項１１】
移動通信システムで無線アクセスポイントのページング方法であって、
コアネットワークから複数のページングメッセージを受信する段階と、
前記複数のページングメッセージの間の優先順位を決定する段階と、及び
前記決定された優先順位に基づいて前記ページングメッセージを端末に送信する段階と、をさらに含み、
前記ページングメッセージに含まれたページング試み回数に係る情報は前記優先順位を決定することに用いられたことを特徴とする、方法。
【請求項１２】
前記複数のページングメッセージ間の優先順位を決定する段階は、
ページングバッファーが飽和したかを決定する段階と、及び
前記ページングバッファーが飽和した場合、前記ページングバッファーに予め記憶された少なくとも一つの第１ページングメッセージ及び前記受信した第２ページングメッセージ間の優先順位を決定する段階と、をさらに含むことを特徴とする、請求項１１に記載方法。
【請求項１３】
前記第１ページングメッセージが前記第２ページングメッセージより優先順位が低く決定された場合、前記第１ページングメッセージの情報を前記ページングバッファーで廃棄する段階と、及び、
前記第２ページングメッセージの情報を前記ページングバッファーに記憶する段階と、をさらに含むことを特徴とする、請求項１１に記載の方法。
【請求項１４】
前記ページングメッセージ間の優先順位は、
前記ページングメッセージを用いて送信しようとする情報の優先順位、前記ページング試み回数、前記ページングメッセージの重複可否のうちの少なくとも一つに基づいて決定したり、又は、
前記ページングメッセージを用いて送信しようとする情報の優先順位、前記ページング試み回数、及び前記ページングメッセージの重複可否に予め決定された加重値を適用したことに基づいて決定することを特徴とする、請求項１１に記載の方法。
【請求項１５】
前記決定された優先順位に基づいて前記ページングメッセージを端末に送信することは、
前記決定された優先順位に基づいて前記複数のページングメッセージ間のページング手順を決定する段階と、
前記決定されたページング手順に基づいて前記複数のページングメッセージを送信する段階と、を含み、
前記ページングメッセージに含まれたページング試み回数に係る情報又は重複可否のうちの少なくとも一つに基づいて前記ページングメッセージを端末に送信するページング領域を決定する段階と、及び
前記決定されたページング領域に基づいて端末にページングメッセージを送信する段階と、
をさらに含むことを特徴とする、請求項１１に記載の方法。
【発明の詳細な説明】
【技術分野】
【０００１】
本発明は、移動通信システムでページングメッセージを送受信する方法及び装置に関し、より具体的に無線アクセスポイントでページングメッセージ間の優先順位を決定して端末にページングする方法及び装置に関する。
【背景技術】
【０００２】
一般的に、移動通信システムはユーザの活動性を保障しながら音声サービスを提供するために開発された。しかし、移動通信システムは次第に音声のみならずデータサービスまで領域を確張しており、現在には高速のデータサービスを提供することができる程度まで発展した。しかし、現在サービスが提供されている移動通信システムにおいてはリソースの不足現象が発生しており、さらにユーザがより高速のサービスを要求するので、より発展した移動通信システムが要求されている。
【０００３】
このような要求に応じて次世代移動通信システムで開発中である一つのシステムとして３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ(Ｌｏｎｇ Ｔｅｒｍ Ｅｖｏｌｕｔｉｏｎ)に対する規格作業が進行しつつある。ＬＴＥは最大１００Ｍｂｐｓ程度の送信速度を有する高速パケット基盤通信を具現する技術である。
【０００４】
４Ｇ通信システムの商用化以後に増加趨勢にある無線データトラフィック需要を満たすため、改善した５Ｇ通信システム又はｐｒｅ−５Ｇ通信システムを開発するための努力が成っている。このような理由で、５Ｇ通信システム又はｐｒｅ−５Ｇ通信システムは、４Ｇネットワーク以後(Ｂｅｙｏｎｄ ４Ｇ Ｎｅｔｗｏｒｋ)通信システム又はＬＴＥシステム以後(Ｐｏｓｔ ＬＴＥ)のシステムと呼ばれられている。
【０００５】
高いデータ送信率を達成するため、５Ｇ通信システムは超高周波(ｍｍＷａｖｅ)帯域(例えば、６０ギガ６０ＧＨｚ)帯域のような)での具現が考慮されている。超高周波帯域での電波の経路損失緩和及び電波の伝達距離を増加させるため、５Ｇ通信システムではビームフォーミング(ｂｅａｍｆｏｒｍｉｎｇ)、巨大な多重入出力(ｍａｓｓｉｖｅＭＩＭＯ)、全次元多重入出力(Ｆｕｌｌ Ｄｉｍｅｎｓｉｏｎａｌ ＭＩＭＯ：ＦＤ−ＭＩＭＯ)、アレイアンテ]ナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。
【０００６】
また、システムのネットワーク改善のために、５Ｇ通信システムでは進化した小型セル、改善した小型セル(ａｄｖａｎｃｅｄ ｓｍａｌｌ Ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ Ｃｏｍｍｕｎｉｃａｔｉｏｎ：Ｄ２Ｄ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ Ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、及び受信干渉除去(ｉｎｔｅｒｆｅｒｅｎｃｅ ｃａｎｃｅｌｌａｔｉｏｎ)などの技術開発が成っている。
【０００７】
この外にも、５Ｇシステムでは進歩したコーディング変調(Ａｄｖａｎｃｅｄ Ｃｏｄｉｎｇ Ｍｏｄｕｌａｔｉｏｎ：ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ Ｗｉｎｄｏｗ Ｓｕｐｅｒｐｏｓｉｔｉｏｎ Ｃｏｄｉｎｇ)と、進歩した接続技術であるＦＢＭＣ(ＦｉｌｔｅｒＢａｎｋＭｕｌｔｉＣａｒｒｉｅｒ)、ＮＯＭＡ(ｎｏｎ−ｏｒｔｈｏｇｏｎａｌ ｍｕｌｔｉｐｌｅ ａｃｃｅｓｓ)、及びＳＣＭＡ(ｓｐａｒｓｅ Ｃｏｄｅ ｍｕｌｔｉｐｌｅ ａｃｃｅｓｓ)などが開発されている。
【０００８】
一方、端末はデータ及び音声通信を常に要することではないから、端末、無線アクセスポイント、及びコアネットワークにアイドル(ｉｄｌｅ)モードを導入することができる。すなわち、一定期間の間に端末に対するデータ送信及び通信が必要ではない場合、端末はアイドルモードに転換されることができる。アイドルモードに進入した端末は無線アクセスポイント及びコアネットワークでもアイドルモードで管理されることができる。また、前記アイドルモードに進入した端末の詳細な位置は無線アクセスポイント及びコアネットワーク内のＲＡＮ制御要素に露出されないこともある。これにより、前記コアネットワークで端末に送信しなければならないデータが存在して通信が必要な場合、前記端末をページング(ｐａｇｉｎｇ)する動作が必要である。
【０００９】
前記コアネットワークで端末に送信しなければならないデータの存在可否を検出した場合、前記コアネットワークは適切な無線アクセスポイントを選んで端末をページング(ｐａｇｉｎｇ)するための情報が含まれたページングメッセージを送信することができる。以後、前記無線アクセスポイントは前記受信したページングメッセージを当該端末に送信することができる。
【００１０】
しかし、移動通信の発達によって端末の個体数が益々増え、多様なプッシュ通知サービスが提供されることによって端末をページングするイベントの数が増加するようになった。前記コアネットワークでページングイベントが急上昇して多数のページングメッセージを前記無線アクセスポイントへ送信した場合、前記無線アクセスポイント内のページングバッファー(ｂｕｆｆｅｒ)が飽和することができる。この場合、ページングメッセージが遺失されることができ、これによってページング成功率が低下される状態が維持される問題がある。すなわち、コアネットワーク及び無線アクセスポイントでのページングリソースは有限であるところ、ページングリソースが混雑する時に効率的にページングリソースを用いる方法が必要である。
【発明の概要】
【発明が解決しようとする課題】
【００１１】
本発明は、上述した問題点を解決するために、無線アクセスポイントが受信した少なくとも一つのページングメッセージを端末に送信する時に、前記ページングメッセージに含まれた情報に基づいてページングメッセージ間の優先順位を決定する方法を提案する。また、本発明は前記無線アクセスポイントが前記ページングメッセージに含まれた情報に基づいてページングメッセージを送信する領域を決定する方法を提案する。
【課題を解決するための手段】
【００１２】
上述した課題を達成するために、本発明の一実施形態による移動通信システムで無線アクセスポイントのページング方法は、コアネットワークから複数のページングメッセージを受信する段階と、前記複数のページングメッセージ間の優先順位を決定する段階と、及び前記決定された優先順位に基づいて前記ページングメッセージを端末に送信する段階と、をさらに含み、前記ページングメッセージに含まれたページング試み回数に係る情報は前記優先順位を決定することに用いられることを特徴とする。
【００１３】
また、発明の他の実施形態による移動通信システムでページングを行う無線アクセスポイントは、信号を送受信する送受信部と、及びコアネットワークから複数のページングメッセージを受信し、前記複数のページングメッセージ間の優先順位を決定し、前記決定された優先順位に基づいて前記ページングメッセージを端末に送信することを制御する制御部と、をさらに含み、前記ページングメッセージに含まれたページング試み回数に係る情報は前記優先順位を決定することに用いられることを特徴とする。
【発明の効果】
【００１４】
本発明の実施形態によれば、ページング(ｐａｇｉｎｇ)リソースが混雑する場合、無線アクセスポイントが複数のページングメッセージ間の優先順位を決定し、ページング領域を決定することによって、ページングメッセージの遺失などの問題を防止し、ページングリソースを適切に用いるようになる効果がある。
【図面の簡単な説明】
【００１５】
【図１】一般的な無線通信システムを示す図面である。
【図２】本発明の実施形態による端末、無線アクセスポイント、コアネットワークの間のページングする過程を説明する図面です。
【図３】本発明の実施形態による無線アクセスポイントでページングメッセージの送信に対する優先順位を決定する過程を説明する図面である。
【図４】本発明の実施形態による無線アクセスポイントの内部構造を示すブロック図である。
【発明を実施するための形態】
【００１６】
以下、添付された図面を参照して本発明の好ましい実施形態を詳細に説明する。この時、添付の図面で同一構成要素は可能な同一符号を付すことに留意すべきである。また、本発明の要旨を不明瞭にすることができる公知機能及び構成に対する詳細な説明は省略する。
【００１７】
また、本発明の実施形態を具体的に説明するにおいて、キャリアアグゲーション(ｃａｒｒｉｅｒ ａｇｇｒｅｇａｔｉｏｎ)をサポートするＡｄｖａｎｃｅｄ Ｅ-ＵＴＲＡ(あるいは、ＬＴＥ-Ａと称する)システムを主な対象とするが、本発明の主な要旨は類似の技術的背景及びチャンネル形態を有するそのほかの通信システムにも本発明の範囲を大きく逸脱せず範囲で少しの変形で適用可能であり、これは本発明の技術分野で熟練された技術的知識を有した者の判断で可能であろう。例えば、キャリアアグゲーションをサポートするｍｕｌｔｉｃａｒｒｉｅｒ ＨＳＰＡにも本発明の主要要旨を適用可能である。
【００１８】
本明細書において実施形態を説明するにおいて本発明が属する技術分野によく知られており、本発明と直接的に関連がない技術内容に対しては説明を省略する。これは不必要な説明を省略することによって本発明の要旨を明瞭にすることができ、より明確に伝達するためなことである。
【００１９】
同じ理由で添付図面において一部構成要素は誇張されたり省略されたり概略的に示された。また、各構成要素のサイズは実際サイズを全的に反映することではない。各図面で同一又は対応する構成要素には同一参照番号を付した。
【００２０】
本発明の利点、特徴、及びそれらを達成する方法は、添付される図面と共に詳細に後述されている実施形態を参照すると明確になるだろう。しかし、本発明は、以下で開示される実施形態で限定されるものではなく、互い異なる多様な形態で具現されることができ、ただ、本実施形態は本発明の開示が完全にして、本発明が属する技術分野で通常の知識を有する者に発明の範疇を完全に知らせるために提供されるもので、本発明は請求項の範疇により定義されるだけである。明細書全体にわたって同一参照符号は同一の構成要素を指す。  
【００２１】
このとき、処理フローチャートの各ブロックとフローチャートの図面の組合は、コンピュータープログラムインストラクションによって行われることができることを理解することができるだろう。これらコンピュータープログラムインストラクションは、汎用コンピューター、特殊用コンピューター又はその他プログラム可能なデータプロセッシング装備のプロセッサに搭載されることができるので、コンピューター又はその他プログラム可能なデータプロセッシング装備のプロセッサを介して行われるそのインストラクションが、フローチャートブロックで説明された機能を行う手段を生成するようになる。これらコンピュータープログラムインストラクションは、特定方式で機能を具現するためにコンピューター又はその他プログラム可能なデータプロセッシング装備を志向することができるコンピューター利用可能、又はコンピューター判読可能メモリーに記憶されることも可能であるので、そのコンピューター利用可能又はコンピューター判読可能メモリーに記憶されたインストラクションは、フローチャートブロックで説明された機能を行うインストラクション手段を内包する製造品目を生産することも可能である。コンピュータープログラムインストラクションは、コンピューター又はその他プログラム可能なデータプロセッシング装備上に搭載されることも可能であるので、コンピューター又はその他プログラム可能なデータプロセッシング装備上で一連の動作段階が行われ、コンピューターで実行されるプロセスを生成してコンピューター又はその他プログラム可能なデータプロセッシング装備を行うインストラクションはフローチャートブロックで説明された機能を行うための段階を提供することも可能である。
【００２２】
また、各ブロックは、特定された論理的機能を行うための１つ以上の実行可能なインストラクションを含むモジュール、セグメント又はコードの一部を示すことができる。また、幾つか代替実行例ではブロックで言及された機能が段階を外れて発生することも可能であることを注目しなければならない。例えば、接して示されている２つのブロックは、実は実質的に同時に行われることも可能で、又はそのブロックが時々該当する機能によって逆順に行われることも可能である。
【００２３】
このとき、本実施形態に用いられる‘〜部’という用語は、ソフトウェア又はＦＰＧＡ、並びにＡＳＩＣのようなハードウェア構成要素を意味し、‘〜部’はどんな役目を行う。しかし、‘〜部’は、ソフトウェア又はハードウェアで限定される意味ではない。‘〜部’はアドレシングすることができる記憶媒体にあるように構成されることもでき、１つ又はその以上のプロセッサを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーティン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さい数の構成要素及び‘〜部’に結合されたり追加的な構成要素と‘〜部’でさらに分離することができる。だけでなく、構成要素及び‘〜部’はデバイス又は保安マルチメディアカード内の１つ又はその以上のＣＰＵを再生させるように具現されることもできる。なお、発明の実施形態で具体的に説明するにあたり３世代パートナーシップ(プロジェクト(３ｒｄ Ｇｅｎｅｒａｔｉｏｎ Ｐａｒｔｎｅｒｓｈｉｐ Ｐｒｏｊｅｃｔ、３ＧＰＰ)が定めたＲＡＮ、ＣＮである長期間進化(ｌｏｎｇ ｔｅｒｍ ｅｖｏｌｕｔｉｏｎ、ＬＴＥ)と進化されたパケットコア(ｅｖｏｌｖｅｄ ｐａｃｋｅｔ ｃｏｒｅ、ＥＰＣ)を主な対象とするが、本発明の主な要旨は類似の技術的背景及びチャンネル形態を有するそのほかの通信システムにも本発明の範囲を大きく逸脱せず範囲で少しの変形で適用可能であり、これは本発明の技術分野で熟練された技術的知識を有した者の判断で可能であろう。
【００２４】
図１は、一般的な無線通信システムを示す図面である。
【００２５】
図１を参照すれば、無線通信システムは端末１００、無線接続網１３０(Ｒａｄｉｏ Ａｃｃｅｓｓ Ｎｅｔｗｏｒｋ、ＲＡＮ)及びコアネットワーク(１４０、ｃｏｒｅ ｎｅｔｗｏｒｋ)を含むことができる。
【００２６】
無線接続網１３０は、さらにいくつかの構成要素で分けられることができるが、端末１００と相互作用する無線接続網の構成要素１２０は端末１００と無線インターフェース１１０を用い、無線通信システムの残り要素は主に有線で接続されている。端末１００と無線インターフェース１１０を介して相互作用する無線接続網の構成要素１２０は例えば、進化されたノードＢ(ｅｖｏｌｖｅｄ Ｎｏｄｅ Ｂ、ｅＮＢ)、ノードＢ(Ｎｏｄｅ Ｂ、ＮＢ)、あるいはこれを含む無線網サブシステム(Ｒａｄｉｏ Ｎｅｔｗｏｒｋ Ｓｕｂｓｙｓｔｅｍ、ＲＮＳ)、基地局(Ｂａｓｅ Ｔｒａｎｓｃｅｉｖｅｒ Ｓｔａｔｉｏｎ、ＢＴＳ)又はこれを含む基地局サブシステム(Ｂａｓｅ Ｓｔａｔｉｏｎ Ｓｕｂｓｙｓｔｅｍ、ＢＳＳ)、無線アクセスポイント(ｗｉｒｅｌｅｓｓ ａｃｃｅｓｓ ｐｏｉｎｔ)、ホーム(Ｈｏｍｅ) ｅＮＢ、ホームＮＢ、ホームｅＮＢゲートウェー(Ｇａｔｅｗａｙ、ＧＷ)、Ｘ２ＧＷなどがある。本明細書においては便宜のために無線アクセスポイント(ｒａｄｉｏ ａｃｃｅｓｓ ｐｏｉｎｔ)にとって前記並べた無線接続網構成要素１２０の例のうちの少なくとも一つを称したり無線接続網１３０そのものを称するようにする。
【００２７】
いくつかの例外を除いては無線アクセスポイント１２０は一般的に１つ以上のセルから構成されており、セルは特定範囲を担当し、端末１００はセルの範囲内でサービスを受ける。ここで、セルは一般的なセルラ(ｃｅｌｌｕｌａｒ)システムのセルを意味し、無線アクセスポイント１２０は前記セルを管理、制御する装置であるが本明細書においては便宜のためにセルと無線アクセスポイント１２０を同様の意味で用いることができる。また、一つの対象(例えば、実施形態)を説明するにおいても便宜によってセルと無線アクセスポイント１２０を混同して用いても良い。
【００２８】
一方、コアネットワーク１４０は、ＲＡＮ制御要素(１３５、ＲＡＮ ｃｏｎｔｒｏｌ ｅｎｔｉｔｙ)を含むことができる。ＲＡＮ制御要素１３５は移動性管理、認証及び保安などの総括的な制御機能を担当する。ＲＡＮ制御要素１３５の例としては、移動性管理要素(Ｍｏｂｉｌｉｔｙ Ｍａｎａｇｅｍｅｎｔ Ｅｎｔｉｔｙ、ＭＭＥ)及びサービング一般パケットラジオサービス(Ｇｅｎｅｒａｌ Ｐａｃｋｅｔ Ｒａｄｉｏ Ｓｅｒｖｉｃｅ、ＧＰＲＳ)サポート要素(Ｓｅｒｖｉｎｇ ＧＰＲＳ Ｓｕｐｐｏｒｔ Ｎｏｄｅ、ＳＧＳＮ)、セル放送センター(Ｃｅｌｌ Ｂｒｏａｄｃａｓｔ Ｃｅｎｔｅｒ、ＣＢＣ)などが含まれることができる。
【００２９】
無線アクセスポイント１２０は、無線インターフェース１１０を介して端末１００にサービスを提供するから、各無線アクセスポイント１２０はサービスを提供するのに適切な領域(ｃｏｖｅｒａｇｅ)を持つ。
【００３０】
図２は、本発明の実施形態による端末、無線アクセスポイント、コアネットワークの間のページングする過程を説明する図面である。
【００３１】
本発明において無線アクセスポイントは上述した無線アクセスポイント１２０に該当することができる。コアネットワークはＲＡＮ制御要素１３５を含むことができる。
【００３２】
コアネットワーク２２０は端末２００に送信する情報が存在するかを検出することができる(Ｓ２３０)。
【００３３】
コアネットワーク２２０の移動性管理個体(ｍｏｂｉｌｉｔｙ ｍａｎａｇｅｍｅｎｔ ｅｎｔｉｔｙ、ＭＭＥ)及び／或いは担当一般パケット無線サービスサポート個体(ｓｅｒｖｉｎｇ ｇｅｎｅｒａｌｐａｃｋｅｔ ｒａｄｉｏ ｓｅｒｖｉｃｅ ｓｕｐｐｏｒｔ ｎｏｄｅ、ＳＧＳＮ)は担当ゲートウェー(ｓｅｒｖｉｎｇ ｇａｔｅｗａｙ、Ｓ-ＧＷ)から前記端末２００に伝達する情報があることを通知するメッセージを受信することができる。前記メッセージは、例えば、Ｃｒｅａｔｅ Ｂｅａｒｅｒ Ｒｅｑｕｅｓｔ、Ｄｅｌｅｔｅ Ｂｅａｒｅｒ Ｒｅｑｕｅｓｔ、Ｄｏｗｎｌｉｎｋ Ｄａｔａ Ｎｏｔｉｆｉｃａｔｉｏｎ、Ｕｐｄａｔｅ Ｂｅａｒｅｒ Ｒｅｑｕｅｓｔ、ＰＧＷ(ｐａｃｋｅｔ ｄａｔａ ｎｅｔｗｏｒｋ−ｇａｔｅｗａｙ)Ｒｅｓｔａｒｔ Ｎｏｔｉｆｉｃａｔｉｏｎ、Ｃａｎｃｅｌ Ｌｏｃａｔｉｏｎなどを含むことができる。前記Ｄｏｗｎｌｉｎｋ Ｄａｔａ Ｎｏｔｉｆｉｃａｔｉｏｎメッセージは端末２００に伝達するユーザデータ情報があることを通知するメッセージであるがその外のメッセージは端末２００に伝達する制御データ情報があることを通知するメッセージである。
【００３４】
又は、コアネットワーク２２０が他の個体からメッセージが伝達されて端末２００に伝達する情報があることを検出する場合の外にも、前記コアネットワーク２２０が端末２００に情報を送信することを決定することができる。例えば、コアネットワーク２２０又はホーム加入者サーバー(ｈｏｍｅ ｓｕｂｓｃｒｉｂｅｒｓｅｒｖｅｒ、ＨＳＳ)が端末２００をネットワークでデタッチ(ｄｅｔａｃｈ)させることに決定した場合、この時、端末２００に前記デタッチをリクエストする制御データを送信する必要がある。
【００３５】
一般的に、制御データ情報とユーザデータ情報は、情報自体の優先順位、すなわち重要度が相違する。例えば、前記制御データ情報はユーザデータ情報より緊急に端末２００で伝達しなければならない必要があり得る。また、前記制御データ情報とユーザデータ情報に含まれた情報を詳細に分類してそれぞれに対する優先順位を決定することができる。
【００３６】
以下、前記制御データ情報伝達が必要な場合、及びユーザのデータ情報伝達が必要な場合に対して説明する。
【００３７】
先ず、制御データ情報伝達の必要な場合は次の通りである。
【００３８】
−移動性管理
◆  Ｄｅｔａｃｈ Ｒｅｑｕｅｓｔメッセージ送信(コアネットワーク２２０が触発するデタッチ (ｄｅｔａｃｈ))
◆  Ｃａｎｃｅｌ Ｌｏｃａｔｉｏｎメッセージ受信又はＤｅｔａｃｈ Ｒｅｑｕｅｓｔ メッセージ送信(ＨＳＳが触発するデタッチ(ｄｅｔａｃｈ))
−セッション管理
◆  Ｃｒｅａｔｅ Ｂｅａｒｅｒ Ｒｅｑｕｅｓｔメッセージ受信又はＡｃｔｉｖａｔｅ Ｄｅｆａｕｌｔ(Ｄｅｄｉｃａｔｅｄ)ＥＰＳ Ｂｅａｒｅｒ Ｃｏｎｔｅｘｔ Ｒｅｑｕｅｓｔメッセージ送信
◆  Ｄｅｌｅｔｅ Ｂｅａｒｅｒ Ｒｅｑｕｅｓｔメッセージ受信／Ｄｅａｃｔｉｖａｔｅ ＥＰＳ Ｂｅａｒｅｒ Ｃｏｎｔｅｘｔ Ｒｅｑｕｅｓｔメッセージ送信
◆  Ｕｐｄａｔｅ Ｂｅａｒｅｒ Ｒｅｑｕｅｓｔメッセージ受信／Ｍｏｄｉｆｙ ＥＰＳＢｅａｒｅｒ Ｃｏｎｔｅｘｔ Ｒｅｑｕｅｓｔメッセージ送信
−ネットワーク回復(セッション管理の一種で見なすこともできる)
◆  ＰＧＷ Ｒｅｓｔａｒｔ Ｎｏｔｉｆｉｃａｔｉｏｎメッセージ受信／Ｄｅａｃｔｉｖａｔｅ ＥＰＳ Ｂｅａｒｅｒ Ｃｏｎｔｅｘｔ Ｒｅｑｕｅｓｔメッセージ送信
【００３９】
次に、ユーザデータ情報伝達の必要な場合は、Ｄｏｗｎｌｉｎｋ Ｄａｔａ Ｎｏｔｉｆｉｃａｔｉｏｎの次の情報元素(ｉｎｆｏｒｍａｔｉｏｎ ｅｌｅｍｅｎｔ、ＩＥ)によって分類されることができる：
・ＥＰＳ Ｂｅａｒｅｒ ＩＤ ＩＥ；
・Ａｌｌｏｃａｔｉｏｎ／Ｒｅｔｅｎｔｉｏｎ Ｐｒｉｏｒｉｔｙ ＩＥ；及び
・Ｐａｇｉｎｇ ａｎｄ Ｓｅｒｖｉｃｅ ｉｎｆｏｒｍａｔｉｏｎ ＩＥ。
【００４０】
上述した分類により、コアネットワーク２２０は、アイドルモードに突入した端末２００をページングするために伝達するＳ１：ＰＡＧＩＮＧメッセージの構成が違うようにしても良い。これは次の段階２４０でより詳しく説明するようにする。
【００４１】
段階２３０で端末２００に伝達する情報があることを検出したコアネットワーク２２０は、端末２００がアイドルモードに突入したら、無線アクセスポイント２１０を介して端末２００を介してページングすることができる。コアネットワーク２２０は無線アクセスポイント２１０にページングメッセージ(Ｓ１：ＰＡＧＩＮＧメッセージ)を伝達することができる(２４０)。前記Ｓ１：ＰＡＧＩＮＧメッセージは次の表１のように構成されることができる。
【００４２】
【表１】
2018532331.tif 000003
【００４３】
前記Ａｓｓｉｓｔａｎｃｅ Ｄａｔａ ｆｏｒ ＰａｇｉｎｇＩＥは次の表２のような情報要素をさらに含むことができる。
【００４４】
【表２】
2018532331.tif 000004
【００４５】
無線アクセスポイント２１０はコアネットワーク２２０から受信した前記ページングメッセージに基づいて端末をページング(ｐａｇｉｎｇ)するためのページングメッセージ処理動作を行うことができる(Ｓ２５０)。前記無線アクセスポイント２１０がページングメッセージを処理することは以下のような２つのメカニズムを含むことができる。
―第１メカニズム：受信したページングメッセージ間の優先順位決定
−第２メカニズム：受信したページングメッセージのページング領域決定
【００４６】
前記優先順位を決定することは無線アクセスポイントのページングバッファー内に予め受信したページングメッセージ及び新規で受信したページングメッセージ間の優先順位を比べることを含むことができる。また、前記優先順位は前記ページングメッセージの端末への送信に対する重要度を指称することができる。本発明で優先順位及び重要度の用語は混用されることができる。より詳しいな事項は後述する。以後、前記無線アクセスポイント２１０は先のＳ２５０段階でページングメッセージを処理したことに基づいて端末２００にページングメッセージを送信することができる。すなわち、前記無線アクセスポイント２１０は前記ページングバッファー内のページングメッセージ間の優先順位及びページング領域に基づいて端末にページングメッセージを送信することができる。
【００４７】
図３は、本発明の実施形態による無線アクセスポイントでページングメッセージの優先順位決定する過程を説明する図面である。
【００４８】
より具体的に、前述した図２のＳ２５０段階でのページングメッセージ処理動作のうちの第１ メカニズムに対する説明を具体化したことである。
【００４９】
先ず、無線アクセスポイントはコアネットワークからページングメッセージを受信することができる(Ｓ３００)。以後、前記無線接続網はページングバッファーが飽和したか否かを決定することができる(Ｓ３１０)。前記ページングバッファーが予め飽和している場合、ページングバッファーに前記受信したページングメッセージより優先順位が低いページングメッセージに対する情報があるかを確認することができる(Ｓ３２０)。前記ページングバッファーとは無線アクセスポイントでコアネットワークからページングメッセージを受信した場合、前記ページングメッセージに含まれた情報中の必要な情報を選択して記憶した空間を指称することができる。前記無線アクセスポイントは予め受信したページングメッセージと前記Ｓ３００段階で受信したページングメッセージとの優先順位を比べなければならなく、優先順位決定は下記のようにすれば良い。
【００５０】
本発明において無線アクセスポイントは受信したページングメッセージに含まれた情報に基づいてページングメッセージの優先順位を決定することができる。特に、ページングメッセージを用いて端末を呼び出した後、伝達する情報の優先順位、ページング試み回数、又はページング重複可否のうちの少なくとも一つに基づいて前記ページングメッセージの優先順位を決定することができる。
【００５１】
第１、ページングメッセージを用いて端末をページングした後、伝達される除法の優先順位は前記表１で説明したページングメッセージ内に含まれた情報要素である、Ｐａｇｉｎｇ Ｐｒｉｏｒｉｔｙ ＩＥ、ページング事件の重要度を表現するための新しいＩＥ、ＵＥ Ｒａｄｉｏ Ｃａｐａｂｉｌｉｔｙ ｆｏｒ Ｐａｇｉｎｇ ＩＥ、Ａｓｓｉｓｔａｎｃｅ Ｄａｔａ ｆｏｒ ＣＥｃａｐａｂｌｅＵＥｓＩＥのうちの少なくとも一つに基づいて決定することができる。前記コアネットワークはＰａｇｉｎｇ Ｐｒｉｏｒｉｔｙ ＩＥ又はページング事件の重要度を表現するための新しいＩＥのうちの少なくとも一つを用いて伝達されなければならない情報の重要度を示すことができる。例えば、前記ＰａｇｉｎｇＰｒｉｏｒｉｔｙ ＩＥの値は以下のようなレベル(ｌｅｖｅｌ)で分けて決定することができる。
【００５２】
- Ｐａｇｉｎｇ Ｐｒｉｏｒｉｔｙ ＩＥ値＝ＰｒｉｏＬｅｖｅｌ１
- Ｐａｇｉｎｇ Ｐｒｉｏｒｉｔｙ ＩＥ値＝ＰｒｉｏＬｅｖｅｌ２
- Ｐａｇｉｎｇ Ｐｒｉｏｒｉｔｙ ＩＥ値＝ＰｒｉｏＬｅｖｅｌ３
- Ｐａｇｉｎｇ Ｐｒｉｏｒｉｔｙ ＩＥ値＝ＰｒｉｏＬｅｖｅｌ４
- Ｐａｇｉｎｇ Ｐｒｉｏｒｉｔｙ ＩＥ値＝ＰｒｉｏＬｅｖｅｌ５
- Ｐａｇｉｎｇ Ｐｒｉｏｒｉｔｙ ＩＥ値＝ＰｒｉｏＬｅｖｅｌ６
- Ｐａｇｉｎｇ Ｐｒｉｏｒｉｔｙ ＩＥ値＝ＰｒｉｏＬｅｖｅｌ７
- ＰａｇｉｎｇＰｒｉｏｒｉｔｙ ＩＥ値＝ＰｒｉｏＬｅｖｅｌ８
【００５３】
コアネットワークはＰａｇｉｎｇＰｒｉｏｒｉｔｙ ＩＥ又はページング事件の重要度を表現するための新しいＩＥのうちの少なくとも一つに対して当該ページング情報が制御データであるか、ユーザデータであるかを示すように設定することができる。コアネットワーク２２０はＰａｇｉｎｇＰｒｉｏｒｉｔｙ ＩＥ又はページング事件の重要度を表現するための新しいＩＥのうちの少なくとも一つを前記図２のＳ２３０段階で説明した詳細な分類のために用いることができる。例えば、前記コアネットワークは前記Ｐａｇｉｎｇ Ｐｒｉｏｒｉｔｙ ＩＥ又はページング分類のための新しいＩＥのうちの少なくとも一つを用いて移動性管理のための制御データであるか、セッション管理のための制御データであるか、Ｐｒｉｏｒｉｔｙ Ｌｅｖｅｌが高いサービスに該当するユーザのデータであるか、高いレベルのユーザに該当するユーザのデータであるかを示すことができる。
【００５４】
また、コアネットワークは、Ｓ２３０段階でゲートウェーから端末に伝達する情報があることを通知するメッセージを受信した場合、前記メッセージに含まれたＡｌｌｏｃａｔｉｏｎ／Ｒｅｔｅｎｔｉｏｎ Ｐｒｉｏｒｉｔｙ ＩＥの優先順位水準(Ｐｒｉｏｒｉｔｙ Ｌｅｖｅｌ)に基づいてＰａｇｉｎｇ Ｐｒｉｏｒｉｔｙ ＩＥの適切な値を設定することができる。無線通信網事業者ごとに前記Ａｌｌｏｃａｔｉｏｎ／Ｒｅｔｅｎｔｉｏｎ Ｐｒｉｏｒｉｔｙ ＩＥの優先順位水準(Ｐｒｉｏｒｉｔｙ Ｌｅｖｅｌ)とＰａｇｉｎｇＰｒｉｏｒｉｔｙ ＩＥ値の間のマッピング関係を定義して無線通信ネットワーク内で一貫的に用いることができる。例えば、ＬＴＥを通じる通話サービス(ｖｏｉｃｅ ｏｖｅｒ ＬＴＥ、ＶｏＬＴＥ)用Ａｌｌｏｃａｔｉｏｎ／Ｒｅｔｅｎｔｉｏｎ Ｐｒｉｏｒｉｔｙ ＩＥのＰｒｉｏｒｉｔｙ Ｌｅｖｅｌを予め定義して前記Ａｌｌｏｃａｔｉｏｎ／Ｒｅｔｅｎｔｉｏｎ Ｐｒｉｏｒｉｔｙ ＩＥのＰｒｉｏｒｉｔｙ Ｌｅｖｅｌを特定のＰａｇｉｎｇ Ｐｒｉｏｒｉｔｙ ＩＥ値にマッピングされるようにできる。
【００５５】
無線通信網事業者が前記Ａｌｌｏｃａｔｉｏｎ／Ｒｅｔｅｎｔｉｏｎ Ｐｒｉｏｒｉｔｙ ＩＥのＰｒｉｏｒｉｔｙ Ｌｅｖｅｌと特定Ｐａｇｉｎｇ Ｐｒｉｏｒｉｔｙ ＩＥ値がマッチングされるように予め定義することができるサービス及び加入者は、例えば、ＶｏＬＴＥ、緊急無電(ｍｉｓｓｉｏｎ ｃｒｉｔｉｃａｌ ｐｕｓｈ ｔｏ ｔａｌｋ、ＭＣＰＴＴ)、政府関係者、警察官／消防官などの緊急事件担当者などを含むことができる。
【００５６】
第２、ページング試み回数に対する情報は前記表２に示したページングメッセージのＡｓｓｉｓｔａｎｃｅ Ｄａｔａ ｆｏｒ ＰａｇｉｎｇＩＥに含まれたＰａｇｉｎｇ Ａｔｔｅｍｐｔ Ｉｎｆｏｒｍａｔｉｏｎ ＩＥを介して獲得されることができる。コアネットワーク２２０によるページング試み回数が増えるほどコアネットワーク２２０でページングする範囲が広くなる。したがって、当該無線アクセスポイントは受信したページングメッセージのページング試み回数が大きいほどページングメッセージの優先順位を低く決定することができる。又は、前記Ｐａｇｉｎｇ Ａｔｔｅｍｐｔ Ｉｎｆｏｒｍａｔｉｏｎ ＩＥが追加的に最大ページング試み回数に対する情報を含む場合、前記無線アクセスポイントは現在ページング試み回数が前記最終ページング試みに近いほどページングメッセージの優先順位を低く決定することができる。
【００５７】
第３、ページングメッセージの重複可否は表２に示したページングメッセージのＡｓｓｉｓｔａｎｃｅ Ｄａｔａ ｆｏｒ ＰａｇｉｎｇＩＥに含まれたＵＥ Ｐａｇｉｎｇ Ｉｄｅｎｔｉｔｙ ＩＥ、無線アクセスポイント内部タイマー、又はＰａｇｉｎｇ Ａｔｔｅｍｐｔ Ｉｎｆｏｒｍａｔｉｏｎ ＩＥのうちの少なくとも一つを用いて識別されることができる。前記内部タイマーの値はＳ−ＧＷで端末に対して重複されるデータであるかを検出することに用いられるタイマーの値を考慮して決定することができる。すなわち、無線アクセスポイントの内部タイマーは前記Ｓ-ＧＷのタイマーと同一又は類似のように設定することができる。参照で、前記Ｓ-ＧＷは端末に送信するデータが予め送信されて重複されたデータであるかを検出し、Ｄｏｗｎｌｉｎｋ Ｄａｔａ Ｎｏｔｉｆｉｃａｔｉｏｎメッセージを送信するか否かを決定することができる。また、Ｓ-ＧＷは追加的にｐａｇｉｎｇ ｐｒｉｏｒｉｔｙを考慮し、Ｄｏｗｎｌｉｎｋ Ｄａｔａ Ｎｏｔｉｆｉｃａｔｉｏｎメッセージを送信するか否かを決定することができる。
【００５８】
前記無線アクセスポイントは、例えば,ページングメッセージの重複可否を識別する時、一定時間内に同一のＵＥ Ｐａｇｉｎｇ ＩｄｅｎｔｉｔｙＩＥを有したページングメッセージを受信したら、重複ページングメッセージと判断することができる。又は、無線アクセスポイントのページングバッファー内に同じＵＥ Ｐａｇｉｎｇ Ｉｄｅｎｔｉｔｙ ＩＥを有したページングメッセージに対する情報が記憶されていると、重複ページングメッセージと判断することができる。また、一定時間内にＰａｇｉｎｇ Ａｔｔｅｍｐｔ Ｉｎｆｏｒｍａｔｉｏｎ ＩＥで示すページング試み回数の値が一つ以上の低いページングメッセージを受信したら、重複ページングメッセージと判断することができる。また、無線アクセスポイントのページングバッファー内にＰａｇｉｎｇ Ａｔｔｅｍｐｔ Ｉｎｆｏｒｍａｔｉｏｎ ＩＥで示すページング試み回数の値が一つ以上の低いページングメッセージの情報が記憶されていると、重複ページングメッセージと判断することができる。
【００５９】
ページングメッセージは前述した３つ要素により分類されることができ、分類されることに対する個別優先順位が決定することができる。先ず、前記ページングメッセージはページングメッセージのＰａｇｉｎｇ Ｐｒｉｏｒｉｔｙ ＩＥ値は前述したように８個のレベル中の一つ及び前記Ｐａｇｉｎｇ Ｐｒｉｏｒｉｔｙ ＩＥが含まれない場合で分類されることができる。前記Ｐａｇｉｎｇ Ｐｒｉｏｉｒｙ ＩＥのレベルが高くなるほど優先順位が低くなり、前記Ｐａｇｉｎｇ Ｐｒｉｏｒｉｔｙ ＩＥが含まれない場合、最も優先順位が低く決定することができる。
【００６０】
また、ページングメッセージは２番目要素であるページング試み回数が予め決定されたしきい値を基準で高い又は低いか否か、及び追加的に最大ページング試み回数を考慮する場合、最大ページング試み回数に到逹したか否か及び前記Ｐａｇｉｎｇ Ａｔｔｅｍｐｔ Ｉｎｆｏｒｍａｔｉｏｎ ＩＥが含まれない場合で分類されることができる。すなわち、ページングメッセージは前記ページング試み回数と最大ページング試み回数が有することができる場合の数を組み合わせたことに加えて前記Ｐａｇｉｎｇ Ａｔｔｅｍｐｔ Ｉｎｆｏｒｍａｔｉｏｎ ＩＥが含まれない場合で分類されることができる。前記ページング試み回数がしきい値より低く最大ページング試み回数に到逹しない場合、優先順位が最も高く、前記ページング試み回数がしきい値より高くて最大ページング試み回数に到逹した場合、優先順位が最も低く決定することができる。
【００６１】
また、最後に前記ページングメッセージは重複可否に基づいて分類されることができる。ページングメッセージが重複された場合、優先順位が低く、重複されない場合、優先順位が高く決定することができる。先に、ページングメッセージが前記３つ要素に基づいて分類されることができる場合に対して説明したが、これは本発明の一実施形態に該当し、ここに限定されないで、より多様で詳細な分類が可能である。
【００６２】
以下、無線アクセスポイントが前記３つ要素を組み合わせることによって受信したページングメッセージの優先順位を決定する多くの実施形態に対して説明する。
【００６３】
先ず、前記３つの要素それぞれに基づいてページングメッセージの優先順位を決定することができる。例えば、ページング試み回数、ページング重複可否を考慮せず、ただページングメッセージを用いて端末を呼び出した後、伝達する情報の優先順位に基づいてページングメッセージの優先順位を決定することができる。  
【００６４】
次に、前記３つ要素に対して考慮する手順を決定し、ページングメッセージの優先順位を決定することができる。例えば、ページングメッセージを用いて端末を呼び出した後に伝達する情報の優先順位、ページング試み回数、及び重複可否順序で優先順位を決定すると仮定する。
【００６５】
ページング情報の個別優先順位を先ず考慮し、ページング情報の個別優先順位が同一の場合、ページング試み回数に基づいた個別優先順位を考慮し、ページング試み回数に基づいた個別優先順位まで同一の場合、重複可否に基づいた個別優先順位を考慮することができる。
【００６６】
次に、前記３つの要素に対して加重値を考慮し、ページングメッセージの端末へのページングに対する優先順位を決定することができる。すなわち、前記３つ要素の個別優先順位に同一の点数を満点として点数を付与し、以後、前記点数に３つ要素に対する加重値を考慮して合算した総合で優先順位を決定することができる。例えば、ページング情報の優先順位、ページング試み回数、及び重複可否それぞれの加重値を５０、３０％、２０％と予め決定したと仮定する。この場合、前記３つの要素に対し、例えば、１０点満点を基準で点数を付与し、付与された点数に前記加重値を掛け、いずれも加えた総合点数が高いページングメッセージに対して端末へのページングに対する優先順位がより高いと決定することができる。
【００６７】
以下、無線アクセスポイントが上述したページングメッセージ間の優先順位決定動作途中、一つ以上の新しいページングメッセージを受信した場合に対して説明する。無線アクセスポイントは前記新しいページングメッセージの情報を記憶するためのまた他のバッファーを生成することができる。前記新しいページングメッセージの情報を記憶するためのまた他のバッファーを臨時バッファーと言える。前記臨時バッファーはまだ優先順位を決定しないページングメッセージを臨時的に記憶しておくバッファーである。したがって、前記無線アクセスポイントは前記臨時バッファーに積もるページングメッセージに対して受信する順に記憶することができる。前記無線アクセスポイントは前記臨時バッファーに記憶されたページングメッセージに対しては、現在ページングバッファーに記憶されたページメッセージ間の優先順位を決定する動作が完了されると、順次に優先順位決定しても良い。
【００６８】
無線アクセスポイントは前述した動作を経てページングメッセージ間の優先順位を決定することができ、ページングバッファー内に前記受信したページングメッセージより低い優先順位を有するページングメッセージが含まれていない場合、前記図２のＳ２４０段階で受信した  ページングメッセージの情報を廃棄することができる(Ｓ３２５)。
【００６９】
一方、無線アクセスポイントのページングバッファーに受信したページングメッセージより低い優先順位を有するページングメッセージがある場合、前記無線アクセスポイントはページングバッファー内の最も低い優先順位を有するページングメッセージの情報を削除することができる(Ｓ３３０)。又は、無線アクセスポイント内のページングリソースが混雑する場合、ページングバッファー内の最も低い優先順位を有するページングメッセージの情報を削除することができる。また、前記受信したページングメッセージの優先順位より低い優先順位を有するページングメッセージが複数個存在する場合、最も優先順位が低いページングメッセージの情報を削除することができる。以後、前記無線アクセスポイントはページングバッファー内に前記受信したページングメッセージにある情報を挿入することができる(Ｓ３４０)。以後、前記無線アクセスポイントはページングメッセージの情報によって前記端末をページングすることができる(Ｓ３５０)。前記無線アクセスポイントは前記ページングバッファー内にあるページングメッセージの優先順位に基づいて前記端末にページングメッセージを送信することができる。
【００７０】
選択的に、前記無線アクセスポイントはページングバッファー内のページング情報に対し、前記決定された優先順位に基づいて予め整列しておくことができる。この場合、前記、整列された手順により最も優先順位が低いページングメッセージと新規で受信したページングメッセージ間の優先順位だけ判断してどんなページングメッセージを廃棄するか決定することができる。
【００７１】
前記無線アクセスポイントはＳ３１０段階で前記ページングバッファーが飽和しなかったと判断した場合、前記無線アクセスポイントはページングバッファー内に前記受信したページングメッセージにある情報を挿入することができる(Ｓ３４０)。また、前記無線アクセスポイントはページングバッファー内のページングリソースが混雑しない時、前記ページングバッファー内に前記受信したページングメッセージにある情報を挿入することができる。以後、前記無線アクセスポイントは前記端末にページングメッセージを送信することができる。この場合、前記無線アクセスポイントは前記ページングメッセージの優先順位に基づいてページングバッファーに記憶されたページングメッセージを端末に送信することができる。また、前記無線アクセスポイントは無線アクセスポイントのページングバッファー内のページングメッセージの手順を変更することができる。
【００７２】
以下、前述した図２のＳ２５０段階でのページングメッセージ処理動作中の第２メカニズムに対して説明する。すなわち、無線アクセスポイントで受信したページングメッセージのページング領域を決定することに対する説明を具体化したことである。無線アクセスポイントはページングバッファーにあるページングメッセージの情報によってページングをする場合、ページング試み回数に基づいてページングする領域を決定することができる。前記無線アクセスポイントはページング試み回数が増加するほど無線アクセスポイント内のページング領域を確張することができる。前記ページング領域と言うことは無線アクセスポイント内のセルを基準で決定することができる。例えば、ページング試み回数が低いほど狭いページング領域を決定されることができる。すなわち、ページング試み回数が低いほど少なくとも一つの推薦セル識別子が指す少なくとも一つのセルだけでページングを行うことができ、又は推薦セル識別子のうちで優先順位が高い少なくとも一つのセル識別子が指す少なくとも一つのセルだけでページングを行うことができる。ページング試み回数が高いほどセル領域を拡張させることができ、ページング試み回数がしきい値より大きい場合、無線アクセスポイント内のすべてのセルを対象でページングを行うことができる。ただ、ページングバッファー内にまだ重複されるページング事件があれば、ページングバッファー内にあるページング事件のページング領域をよりさらに広く取ることができる。
【００７３】
また、前記無線アクセスポイントは各セルごとに個別的にページングバッファーを管理することができる。この時、前記各セルのページングバッファーは上述したページングメッセージの優先順位決定動作に基づいて管理されることができる。すなわち、コアネットワークからページングメッセージを受信した無線アクセスポイントは前記ページングメッセージのページング試み回数が高い場合、ページングバッファーが飽和されたりリソースに混雑の生じたセルはページング領域から除くことができる。
【００７４】
図４は、本発明の実施形態による無線アクセスポイントの内部構造を示すブロック図である。
【００７５】
図４を参考すれば、前記無線アクセスポイントは送受信部４００、記憶部４１０、制御部４２０を含むことができる。また、前記記憶部４１０は追加的にページングバッファー４１５を含むことができ、前記制御部４２０はページングメッセージの優先順位決定部４２３及びページング領域決定部４２５を含むことができる。
【００７６】
前記送受信部４００は前記無線アクセスポイントが本発明による動作をするための信号を送受信することができる。より具体的に、コアネットワークからページングメッセージを受信することができる。また、ページングメッセージ処理をした以後、ページングメッセージを処理したことに基づいてページングメッセージを送信することができる。
【００７７】
前記記憶部４１０は、前記無線アクセスポイントが本発明による動作をするための情報を記憶することができる。前記記憶部４１０は前記コアネットワークから受信したページングメッセージに含まれた情報を記憶することができる。より具体的に前記記憶部４１０に含まれたページングバッファー４１５は前記ページングメッセージに含まれた情報を記憶することができる。前記記憶部４１０は前記記憶された情報を前記制御部４２０に提供することができる。
【００７８】
前記制御部４２０は、前記無線アクセスポイントが本発明による動作を制御することができる。前記制御部４２０に含まれたページングメッセージの優先順位決定部４２３は前記送水花嫁４００で受信したページングメッセージ間の優先順位を決定することができる。また、前記制御部４２０に含まれたページング領域決定部４２５は前記端末にページングメッセージを伝達する領域を決定することができる。また、前記制御部４２０は前記ページングメッセージの優先順位決定部４２３及びページング領域決定部４２５が行う動作をいずれも行うことができる。
【００７９】
より具体的に、前記制御部４２０はコアネットワークから複数のページングメッセージを受信し、前記複数のページングメッセージ間の優先順位を決定し、前記決定された優先順位に基づいて前記ページングメッセージを端末に送信することを制御することができる。また、前記制御部４２０はページングバッファーが飽和したかを決定し、前記ページングバッファーが飽和した場合、前記ページングバッファーに予め記憶された少なくとも一つの第１ページングメッセージ及び前記受信した第２ページングメッセージ間の優先順位を決定することをさらに制御することができる。
【００８０】
また、前記制御部４２０は前記第１ページングメッセージが前記第２ページングメッセージより優先順位が低く決定された場合、前記第１ページングメッセージの情報を前記ページングバッファーで廃棄し、前記第２ページングメッセージの情報を前記ページングバッファーに記憶することを制御することができる。また、前記制御部４２０は前記決定された優先順位に基づいて前記複数のページングメッセージ間のページング手順を決定し、前記決定されたページング手順に基づいて前記複数のページングメッセージを送信することを制御することができる。また、前記制御部４２０は前記ページングメッセージに含まれたページング試み回数に係る情報又は重複可否のうちの少なくとも一つに基づいて前記ページングメッセージを端末に送信するページング領域を決定し、前記決定されたページング領域に基づいて端末にページングメッセージを送信することを制御することができる。
【００８１】
また、前記制御部４２０は、前記優先順位を決定するうち、第３ページングメッセージを新規で受信した場合、前記ページングバッファーと相違する臨時バッファーに前記第３ページングメッセージの情報を記憶し、前記第１ページングメッセージ及び第２ページングメッセージのうちの優先順位がより低いページングメッセージを決定し、前記優先順位がより低く決定されたページングメッセージと前記第３ページングメッセージの間の優先順位を決定することをさらに制御することができる。
【００８２】
上述した実施形態ですべての段階及びメッセージは選択的な実行の対象となるか、省略の対象となることができる。なお、各実施形態において段階は必ず順序に起こす必要はなく、逆順であれば良い。各段階及びメッセージは独立的に行われることができる。
【００８３】
上述した実施形態で例示した表の一部又は全体は本発明の実施形態を具体的に示されて理解を助けるためのことである。したがって、表の詳細内容は本発明で提案する方法及び装置の一部を表現することで見られる。すなわち、本明細書の表の内容はシンタックスに接近されるよりセマンティックスに接近されることが好ましい。
【００８４】
一方、本明細書及び図面に開示された本発明の実施形態は本発明の記述内容を容易に説明して発明の理解を助けるために特定例を提示したものであって、本発明の範囲を限定しようとするものではない。ここに開示された実施形態以外にも本発明の技術的思想に基づいた他の変形例が実施可能であるということは本発明が属する技術分野で通常の知識を有する者に自明なものである。
【符号の説明】
【００８５】
１００  端末
１１０  無線インターフェース
１２０  無線アクセスポイント
１３０  無線接続網
１３５  制御要素
１４０  コアネットワーク
４００  送受信部
４１０  記憶部
４１５  ページングバッファー
４２０  制御部
４２３  ページングメッセージの優先順位決定部
４２５  ページング領域決定部
【図１】
2018532331.tif 000005
【図２】
2018532331.tif 000006
【図３】
2018532331.tif 000007
【図４】
2018532331.tif 000008
【国際調査報告】
2018532331.tif 000009
2018532331.tif 000010
2018532331.tif 000011
2018532331.tif 000012